(57)【要約】【課題】  ガイド部が第１位置に位置するときにガイド部がシートの搬送路の一部に用いられ、ガイド部が第２位置に位置するときに搬送路に別の機能が付与されるカセットを提供する。【解決手段】  画像形成装置１００の装置本体１００Ａに着脱自在なカセット２１において、装置本体１００Ａに対する着脱方向Ｌで手前方向に動作してシートＳの搬送をガイドする第１位置Ｊ１、及び、着脱方向Ｌで奥方向に押圧されるとシートＳの搬送路に侵入する第２位置Ｊ２と、に移動自在な可動ガイド５２と、可動ガイド５２を第１位置に付勢するバネ５６と、を備えるカセット２１を構成した。【選択図】  図２
2015093740.tif 000002
【特許請求の範囲】
【請求項１】
画像形成装置の装置本体に着脱自在なカセットにおいて、
前記装置本体に対する着脱方向で手前方向に動作して、シートの搬送をガイドする第１位置、及び、前記着脱方向で奥方向に押圧されると、シートの搬送路に侵入する第２位置と、に移動自在なガイド部と、
前記ガイド部を第１位置に付勢する付勢手段と、
を備えることを特徴とするカセット。
【請求項２】
画像を形成する画像形成部と、
請求項１に記載のカセットと、
前記ガイド部が前記搬送路に侵入していることを検知する検知手段と、
前記検知手段の検知結果に基づいて前記装置本体の内部機器の駆動を停止させるコントローラと、
を備えることを特徴とする画像形成装置。
【請求項３】
前記検知手段は、前記ガイド部が移動することにより動作するレバーと、前記レバーの動作を検知するセンサと、を有することを特徴とする請求項２に記載の画像形成装置。
【請求項４】
前記レバーは、前記搬送路に侵入した前記ガイド部に接触されると前記ガイド部と一体動作するように前記カセットに取付けられることを特徴とする請求項３に記載の画像形成装置。
【請求項５】
前記ガイド部よりも前記着脱方向で手前に固定された外壁部を有することを特徴とする請求項１乃至請求項３のいずれか１項に記載のカセット。
【請求項６】
前記ガイド部は、第２位置に移動するときにシートの搬送路に侵入して前記外壁部との間隔を広げることを特徴とする請求項５に記載のカセット。
【請求項７】
画像形成装置の装置本体に着脱自在なカセットにおいて、
装置本体に対する着脱方向で手前に配置されて、複数に分割され、シートの搬送をガイドする第１ガイド部及び第２ガイド部と、
前記第１ガイド部及び前記第２ガイド部を連結する連結部と、
を備え、
前記第１ガイド部及び前記第２ガイド部は、
いずれも前記着脱方向の奥方向に押圧されていない状態では、シートの搬送をガイドする第１位置をとり、
いずれか一方が前記着脱方向で奥方向に押圧されてシートの搬送路に侵入すると、いずれか他方が前記着脱方向で手前方向に押し出されて、前記第１ガイド部と前記第２ガイド部との間隔を広げる第２位置を取ることを特徴とするカセット。
【請求項８】
前記第１ガイド部は、第１軸を中心に回動自在であり、
前記第２ガイド部は、第２軸を中心に回動自在であり、
前記連結部は、第３軸を中心に回動自在であり、
前記第１軸、前記第２軸、前記第３軸は、互いに異なる位置に配置され、
前記第１ガイド部と前記第２ガイド部は、回動するときに、互いに逆方向に回動することを特徴とする請求項７に記載のカセット。
【請求項９】
前記第１ガイド部及び前記第２ガイド部の少なくとも一方を前記搬送路から離間する方向に付勢する付勢手段と、
前記第１ガイド部及び前記第２ガイド部の少なくとも一方を前記搬送路から離間する方向又は離間する方向とは逆の方向に所定角度以上で回動しないように規制する規制手段と、
を備えることを特徴とする請求項８に記載のカセット。
【請求項１０】
前記第２ガイド部及び前記第１ガイド部の裏面には、前記第２ガイド部から前記第１ガイド部へと向かうに従って経路が小さくなる搬送路が形成され、
前記第１ガイド部は、押圧されることで前記搬送路に侵入することを特徴とする請求項７乃至請求項９のいずれか１項に記載のカセット。
【請求項１１】
前記第２ガイド部及び前記第１ガイド部の裏面には、前記第２ガイド部から前記第１ガイド部へと向かうに従って経路が小さくなる搬送路が形成され、
前記第２ガイド部は、押圧されることで前記搬送路に侵入することを特徴とする請求項７乃至請求項９のいずれか１項に記載のカセット。
【請求項１２】
画像を形成する画像形成部と、
請求項７乃至請求項１１のいずれか１項に記載のカセットと、
前記第１ガイド部又は前記第２ガイド部が前記搬送路に侵入していることを検知する検知手段と、
前記検知手段の検知結果に基づいて前記装置本体の内部機器の駆動を停止させるコントローラと、
を備えることを特徴とする画像形成装置。
【請求項１３】
前記検知手段は、前記第１ガイド部及び前記第２ガイド部のいずれか一方が移動することにより動作するレバーと、前記レバーの動作を検知するセンサと、を有することを特徴とする請求項１２に記載の画像形成装置。
【請求項１４】
前記レバーは、前記搬送路に侵入した前記第１ガイド部及び前記第２ガイド部のいずれか一方に接触されると前記第１ガイド部及び前記第２ガイド部の前記いずれか一方と一体動作するように前記カセットに取付けられることを特徴とする請求項１３に記載の画像形成装置。
【発明の詳細な説明】
【技術分野】
【０００１】
本発明は、シートを収納するカセット、及び、このカセットを備える画像形成装置に関する。
【背景技術】
【０００２】
特許文献１には、シートを収納するカセットの手前側を凹ませて把手部を形成する構成が記載される。
【先行技術文献】
【特許文献】
【０００３】
【特許文献１】特開平１０−８７０９９号公報
【発明の概要】
【発明が解決しようとする課題】
【０００４】
しかしながら、特許文献１（特に図３）に記載の発明では、カセットに形成される搬送路が形成される位置に、カセットの把手部が形成されるようと設計されると、シートの搬送路の領域とユーザの把手部の領域が重なってしまう。従って、搬送路の領域と把手部の領域とを別々に設けるので、装置本体の大きさが大型化する。
【０００５】
本発明は、上記実情に鑑み、ガイド部が第１位置に位置するときにガイド部がシートの搬送路の一部に用いられ、ガイド部が第２位置に位置するときに搬送路に別の機能が付与されるカセットを提供することを目的とする。
【課題を解決するための手段】
【０００６】
上記目的を達成するために、本発明のカセットは、画像形成装置の装置本体に着脱自在なカセットにおいて、前記装置本体に対する着脱方向で手前方向に動作してシートの搬送をガイドする第１位置、及び、前記着脱方向で奥方向に押圧されるとシートの搬送路に侵入する第２位置と、に移動自在なガイド部と、前記ガイド部を第１位置に付勢する付勢手段と、を備えることを特徴とする。
【０００７】
本発明の他のカセットは、画像形成装置の装置本体に着脱自在なカセットにおいて、装置本体に対する着脱方向で手前に配置されて、複数に分割され、シートの搬送をガイドする第１ガイド部及び第２ガイド部と、前記第１ガイド部及び前記第２ガイド部に連結される連結部と、を備え、前記第１ガイド部及び前記第２ガイド部は、いずれも前記着脱方向の奥方向に押圧されていない状態では、シートの搬送をガイドする第１位置をとり、いずれか一方が前記着脱方向で奥方向に押圧されてシートの搬送路に侵入すると、いずれか他方が前記着脱方向で手前方向に押し出されて、前記第１ガイド部と前記第２ガイド部との間隔を広げる第２位置を取ることを特徴とする。
【発明の効果】
【０００８】
本発明によれば、ガイド部が第１位置に位置するときにガイド部がシートの搬送路の一部に用いられ、ガイド部が第２位置に位置するときに搬送路に別の機能が付与される。
【図面の簡単な説明】
【０００９】
【図１】実施例１に係る画像形成装置の断面図である。
【図２】カセットの一部拡大断面図である。
【図３】カセットの一部拡大断面図である。
【図４】カセットの一部拡大断面図である。
【図５】カセットの一部拡大断面図である。
【図６】カセット及び装置本体の一部拡大断面図である。
【図７】実施例２に係る画像形成装置の断面図である。
【図８】カセットの一部拡大断面図である。
【図９】カセットの一部拡大断面図である。
【図１０】カセットの一部拡大断面図である。
【図１１】カセットの一部拡大断面図である。
【図１２】カセット及び装置本体の一部拡大断面図である。
【図１３】実施例３に係る画像形成装置の断面図である。
【図１４】カセットの一部拡大断面図である。
【図１５】カセットの一部拡大断面図である。
【図１６】ユーザが被接触部に指を引っかける前のカセットの一部拡大断面図である。
【図１７】ユーザが被接触部に指を引っかけた後のカセットの一部拡大断面図である。
【図１８】カセット及び装置本体の一部拡大断面図である。
【発明を実施するための形態】
【００１０】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例１】
【００１１】
図１は、実施例１に係る画像形成装置１００の断面図である。図１に示されるように、画像形成装置１００は、装置本体１００Ａを有する。装置本体１００Ａの内部には、感光体ドラム２９が配置される。感光体ドラム２９の周囲には、帯電装置（不図示）、露光装置９１、現像装置（不図示）、転写ローラ２８が配置される。また、感光体ドラム２９よりもシート搬送方向に下流には、定着装置１０３が配置される。
【００１２】
こうした感光体ドラム２９、帯電装置、露光装置９１、現像装置、転写ローラ２８、定着装置１０３を含んで、シートＳに画像を形成する画像形成部１０１が構成される。画像を形成する画像形成部１０１の一部（例えば図１中の感光体ドラム２９）は、カートリッジ８０に収納されて、装置本体１００Ａに対して着脱自在に構成されている。なお、画像形成部といった場合には、感光体ドラム２９、帯電装置、露光装置９１、現像装置、転写ローラ２８、定着装置等の画像形成及び画像定着に用いられる構成が含まれる。
【００１３】
また、装置本体１００Ａの下部には、装置本体１００Ａに着脱自在であって、シートＳを収納するカセット２１、１２１が配置される。コントローラ５０（制御部）がプリント信号を送信すると、給送ローラ２３、１２３が反時計回りに回転する。シートＳが分離パッド２２、１２２によって１枚ずつ分離されて搬送される。そのシート搬送方向の下流には、搬送ローラ２４、１２４及び搬送コロ２５、１２５が配置される。更にそのシート搬送方向の下流には、レジストローラ２６及びレジストコロ２７が配置される。カセット２１、１２１を含んで給送部１０５ともいう。
【００１４】
感光体ドラム２９の表面では、帯電装置により帯電され、露光装置９１により静電像が形成され、現像装置により現像剤で現像されて現像剤像が形成される。一方で、カセット２１、１２１から搬送されてきたシートＳには、感光体ドラム２９の表面の現像剤像が転写ローラ２８によって転写される。現像剤像が転写されたシートＳは、定着装置１０３に搬送され、現像剤像が加圧及び加熱されてシートＳに定着される。そして、シートＳは、搬送ローラ対３３、３４に搬送され、排出ローラ対３５、３６から排出されてトレイ１０２の上に排出される。
【００１５】
図２は、カセット２１の一部拡大断面図である。図２に示されるように、カセット２１は、端部に手掛かり機構５００を有する。手掛かり機構５００は、カセット２１の前面に外壁部５４及び可動ガイド５２を有する。外壁部５４は、カセット２１よりも着脱方向Ｌでの手前に固定され、上部から手前に延びて下方へと延びる。外壁部５４は、装置本体１００Ａに対する着脱方向Ｌの手前に形成される開口５４Ｘを有する。『ガイド部』としての可動ガイド５２は、外壁部５４よりも着脱方向Ｌの奥に配置される。可動ガイド５２は、着脱方向Ｌで手前方向に動作して、シートＳの搬送をガイドする第１位置Ｊ１、及び、着脱方向Ｌで奥方向に押圧されると、シートの搬送路に侵入しつつ外壁部５４との間隔を広げる第２位置Ｊ２（図３参照）と、に移動自在である。
【００１６】
この外壁部５４及び可動ガイド５２の間には、溝５３が形成される。この溝５３の隙間は、可動ガイド５２が動かない状態ではユーザの指が差し込めない幅（第１寸法）となっている（例えば、５ｍｍ〜１０ｍｍ等のように適宜設定される）。
【００１７】
この外壁部５４の奥に、可動ガイド５２が配置される。可動ガイド５２は、軸５５から下方に向かって延びる板状の部材であり、軸５５を中心に回動可能に構成される。可動ガイド５２は、奥の面がガイド面５２ａとなっており、手前の面が被接触部５２ｂとなっている。可動ガイド５２は、シートＳの搬送をガイドする部位であり、被接触部５２ｂは、ユーザの指により接触される部位である。
【００１８】
可動ガイド５２の奥には、搬送面５１が形成される。搬送面５１と可動ガイド５２との間にはバネ５６が取付けられる。『付勢手段』としてのバネ５６は、可動ガイド５２を第１位置Ｊ１に付勢するものである。このバネ５６は、軸５５よりも下方の位置で、搬送面５１と可動ガイド５２のガイド面５２ａとの間に取付けられる。バネ５６の付勢力によって、可動ガイド５２は、軸５５を中心に下端部が手前に進むように付勢される。こうして、可動ガイド５２は、搬送領域の外の第１位置Ｊ１に配置される。
【００１９】
また、可動ガイド５２及び搬送面５１によって、シートＳを搬送する搬送路が形成される。この搬送路は、給送部１０５から給送されたシートＳを搬送する搬送路として機能する。
【００２０】
図３は、カセット２１の一部拡大断面図である。図３に示されるように、ユーザが手掛かり機構５００の外壁部５４及び可動ガイド５２の間に形成される溝５３に指を差し込む。このように指が差し込まれた状態では、外壁部５４と可動ガイド５２の間の寸法は、平均的な人の指よりも大きい隙間（第２寸法、第２寸法は第１寸法よりも大きく設定される）に設定されている。第２寸法は、例えば、１５ｍｍ〜２０ｍｍ等のように適宜設定される。ユーザの指は、可動ガイド５２の被接触部５２ｂに接触して可動ガイド５２を押し込む。また、ユーザの指は、外壁部５４の裏面に挿入される。そうすると、可動ガイド５２は、軸５５を中心に時計回りに回動する。
【００２１】
こうして、可動ガイド５２は、第２位置Ｊ２へと移動する。このとき、可動ガイド５２が、シートＳを搬送する搬送領域に侵入する。従って、シートＳがカセット２１から給送されてきた場合には、シートＳがＪＡＭする可能性がある。この点に関しては、その際に、後述するレバー６４（図４参照）を検知するフォトインタラプタ７０（図４参照）の検知結果に基づいて、コントローラ５０が装置本体１００Ａの内部機構の駆動を停止させるので、給送部１０５から給送されるシートＳのＪＡＭは防止される。
【００２２】
そして、ユーザが指を溝５３から退避させると、可動ガイド５２は、軸５５を中心に反時計回りに回動し、図２の第１位置Ｊ１へと移動して、再び、搬送されるシートＳの搬送路を形成する。
【００２３】
図４は、カセット２１の一部拡大断面図である。図４に示されるように、カセット２１は、可動ガイド５２の裏面にレバー６４と『センサ』としてのフォトインタラプタ７０と、を有する。レバー６４は、可動ガイド５２が移動することにより動作するものである。レバー６４は、搬送路に侵入した可動ガイド５２に接触される可動ガイド５２と一体動作するようにカセット２１に取付けられる。『検知手段』としてのフォトインタラプタ７０は、可動ガイド５２が搬送路に侵入していることを検知するものである。ただし、後述するが、フォトインタラプタ７０は、直接的にはレバー６４の動作を検知するものである。
【００２４】
レバー６４は、軸６１を中心に回動可能に構成され、一端は可動ガイド５２が回動時に当接する当接部６２を有し、他端はフォトインタラプタ７０を遮光する遮光部６３を有する。可動ガイド５２が第１位置Ｊ１に配置されるときに、バネ６５の付勢力によってレバー６４が反時計回りに付勢されて第３位置Ｋ１に配置され、遮光部６３がフォトインタラプタ７０を遮光する。
【００２５】
図５は、カセット２１の一部拡大断面図である。図５に示されるように、可動ガイド５２が第２位置Ｊ２に配置されるときに、ユーザの指の押圧力によってレバー６４が時計回りに回動して第４位置Ｋ２に配置され、遮光部６３がフォトインタラプタ７０から退避する。こうして、フォトインタラプタ７０がレバー６４の移動を検知して、コントローラ５０は、装置本体１００Ａの内部機構の駆動を停止させる。このように、コントローラ５０は、フォトインタラプタ７０の検知結果に基づいてレバー６４がシートの搬送路に侵入していると判断すると、装置本体１００Ａの内部機器の駆動を停止させる。
【００２６】
図６（ａ）は、カセット２１が装置本体１００Ａに装着されている状態を示し、図６（ｂ）は、カセット２１が装置本体１００Ａから引出された状態を示す。図６（ａ）の状態から図６（ｂ）の状態へと移行する過程で、カセット２１が装置本体１００Ａから引出されると、同時にレバー６４が引き出される。そして、遮光部６３がフォトインタラプタ７０から退避する。フォトインタラプタ７０がレバー６４の移動を検知して、コントローラ５０は、装置本体１００Ａの内部機構の駆動を停止させる。このように、コントローラ５０は、フォトインタラプタ７０の検知結果に基づいてレバー６４が着脱方向Ｌで外に移動したと判断すると、装置本体１００Ａの内部機器の駆動を停止させる。
【実施例２】
【００２７】
図７は、実施例２に係る画像形成装置２００の断面図である。実施例２の構成のうち実施例１と同一の構成に関しては、同一の符号を付して説明を省略する。実施例２の構成で特徴的なのは、可動ガイドが可動上ガイド２５７と可動下ガイド２５８の『複数』例えば二つの部材に分割されて構成される点である。また、可動下ガイド２５８の裏面が被把持部に相当する点である。
【００２８】
図８は、カセット２２１の一部拡大断面図である。図８に示されるように、『第１ガイド部』としての可動上ガイド２５７は、カセット２２１における装置本体１００Ａに対する着脱方向Ｌの手前に配置される。可動上ガイド２５７は、上端部に設けられる『第１軸』としての軸２５７ｃを中心に回動自在である。
【００２９】
『第２ガイド部』としての可動下ガイド２５８は、カセット２２１における装置本体１００Ａに対する着脱方向Ｌの手前に配置される。可動下ガイド２５８は、下端部に設けられる『第２軸』としての２５８ｃを中心に回動自在である。軸２５７ｃ、軸２５８ｃ、後述の軸２９１は、互いに異なる位置に配置される。可動上ガイド２５７と可動下ガイド２５８は、回動するときには、互いに逆方向に回動する。
【００３０】
可動上ガイド２５７は、外には、外装面２５７ｂを有し、内には、給送されるシートＳをガイドするガイド面２５７ａを有する。可動下ガイド２５８は、外には、外装面２５８ｂを有し、内には、給送されるシートＳをガイドするガイド面２５８ａを有する。
【００３１】
また、可動上ガイド２５７と可動下ガイド２５８とは、『連結部』としての連結部材２９０で連結される。連結部材２９０は、軸２９１を中心に回動自在である。連結部材２９０の上部が可動上ガイド２５７と軸２９５で連結され、連結部材２９０の下部が可動下ガイド２５８と軸２９６で連結される。連結部材２９０は、連結される軸２９５、２９６の他に、軸２９１を有する。
【００３２】
可動上ガイド２５７は、『付勢手段』としてのバネ５６によって反時計回りに回動するように（搬送路から離間する方向に）付勢され、『規制手段』としての突き当て部２９２に突き当たる。こうして、可動上ガイド２５７及び可動下ガイド２５８は、いずれも着脱方向Ｌで奥方向に押圧されていない状態では、シートＳの搬送をガイドする第１位置Ｊ１をとる。
【００３３】
図９は、カセット２２１の一部拡大断面図である。図９に示されるように、ユーザが指をガイド面２５８ａに差し込むと、可動上ガイド２５７（いずれか一方）の下端が奥へと移動し、可動下ガイド２５８（いずれか他方）の上端が手前へと移動する。このとき、可動上ガイド２５７が軸２５７ｃを中心に時計回りに回動し、連結部材２９０が軸２９１を中心に反時計回りに回動し、可動下ガイド２５８が軸２５８ｃを中心に時計回りに回動する。
【００３４】
こうして、可動下ガイド２５８の裏面のガイド面２５８ａと搬送面５１との間に、ユーザの指がアクセス可能な空間が形成される。したがって、ユーザが指を差し込んで、カセット２２１を引き出すことが可能となる。このときに、可動下ガイド２５８は、時計回り方向に（搬送路から離間する方向に）所定角度以上で回動しないように規制するために、軸２９６が突き当て部２５９に突き当たる。こうして、可動上ガイド２５７が着脱方向Ｌの奥に押圧された状態では、シートＳの搬送路に侵入しつつ間隙を広げる第２位置Ｊ２を取る。可動上ガイド２５７が、押圧されることで搬送路に侵入する。
【００３５】
ユーザが指を可動下ガイド２５８の裏面のガイド面２５８ａから退避すると、可動上ガイド２５７はバネ５６の付勢力によって反時計回りに回動して、軸２９５が『規制手段』としての突き当て部２９２に突き当たると止まる。連結部材２９０は、時計回りに回動して止まる。可動下ガイド２５８は、バネ２６０の付勢力によって反時計回りに回動して止まる。こうして可動上ガイド２５７及び可動下ガイド２５８は、再び、給送されるシートＳの搬送路を形成する。なお、前述の突き当て部２５９と突き当て部２９２は、カセットに取付けられている。
【００３６】
図１０は、カセット２２１の一部拡大断面図である。図１０に示されるように、カセット２２１は、レバー２６４を有する。このレバー２６４は、軸２６１を中心に回動可能に構成される。レバー２６４は、断面視でＬ字状に形成され、被接触部２６４ａと、遮光部２６３と、を有する。
【００３７】
被接触部２６４ａは、可動上ガイド２５７によって接触される部位であり、遮光部２６３は、装置本体１００Ａに設けられたフォトインタラプタ７０の光を遮光する部位である。可動上ガイド２５７と可動下ガイド２５８が第１位置Ｊ１に位置するときには、レバー２６４は、バネ２６５により着脱方向Ｌで奥方向に付勢されており、第３位置Ｋ１に位置する。
【００３８】
図１１は、カセット２２１の一部拡大断面図である。図１１に示されるように、ユーザが可動上ガイド２５７を奥へと押し込むと、可動上ガイド２５７は第２位置Ｊ２に移動する。このときに可動上ガイド２５７のガイド面２５７ａがレバー２６４を押すことになり、レバー２６４が第４位置Ｋ２に移動する。このときに、遮光部２６３がフォトインタラプタ７０から退避し、コントローラ５０は、フォトインタラプタ７０の検知結果に基づいて、装置本体１００Ａの内部機構の駆動を停止する。
【００３９】
図１２（ａ）は、カセット２２１が装置本体１００Ａに装着された状態を示す断面図である。図１２（ｂ）は、カセット２２１が装置本体１００Ａから引出された状態を示す断面図である。図１２（ａ）の状態から図１２（ｂ）の状態へとカセット２２１が移動すると、可動上ガイド２５７に連結されたレバー２６４が手前へと引出され、遮光部２６３がフォトインタラプタ７０から退避する。
【００４０】
コントローラ５０は、このフォトインタラプタ７０の検知結果に基づいて、装置本体１００Ａの内部機構の駆動を停止させる。なお、図１２（ｂ）の状態から図１２（ａ）の状態へとカセット２２１が移動すると、遮光部２６３がフォトインタラプタ７０の光路を遮光する。
【実施例３】
【００４１】
図１３は、実施例３に係る画像形成装置１００の断面図である。実施例３の構成のうち実施例１と同一の構成に関しては同一の符号を付して説明を省略する。実施例３の構成で特徴的なのは、可動ガイドが『第１ガイド部』としての可動上ガイド４５７と『第２ガイド部』としての可動下ガイド４５８とを有する点である。同時に、可動上ガイド４５７の裏面が被把持部に相当する点である。なお、実施例３中では、後述するが、『第１軸』には軸４５７ｃが相当し、『第２軸』には軸４５８ｃが相当する。『第３軸』には、軸４９１が相当する。
【００４２】
図１４は、カセット４２１の一部拡大断面図である。図１４に示されるように、カセット４２１は、手前の上部に配置される軸４５７ｃと、軸４５７ｃを中心として回動可能な可動上ガイド４５７と、を有する。また、カセット４２１は、手前の下部に配置される軸４５８ｃと、軸４５８ｃを中心として回動可能な可動下ガイド４５８と、を有する。
【００４３】
可動上ガイド４５７は、外には、外装面４５７ｂを有し、内には、給送されるシートＳをガイドするガイド面４５７ａを有する。可動下ガイド４５８は、外には、外装面４５８ｂを有し、内には、給送されるシートＳをガイドするガイド面４５８ａを有する。
【００４４】
また、可動上ガイド４５７と可動下ガイド４５８とは、連結部材４９０で連結される。連結部材４９０の上部が可動上ガイド４５７と軸４９５で連結され、連結部材４９０の下部が可動下ガイド４５８と軸４９６で連結される。連結部材４９０は、連結される軸４９５、４９６の他に、軸４９１を有する。可動下ガイド４５８は、バネ５６によって時計回り方向に回動するように付勢され、軸４９６が突き当て部４９２に突き当たる。
【００４５】
図１５は、カセット４２１の一部拡大断面図である。図１５に示されるように、ユーザが指をガイド面４５７ａ差し込むと、可動下ガイド４５８（いずれか一方）の上端が奥へと移動し、可動上ガイド４５７（いずれか他方）の下端が手前へと移動する。このとき、可動下ガイド４５８が軸４５８ｃを中心に反時計回りに回動し、連結部材４９０が軸４９１を中心に時計回りに回動し、可動上ガイド４５７が軸４５７ｃを中心に反時計回りに回動する。
【００４６】
こうして、可動上ガイド４５７の裏面のガイド面４５７ａと搬送面５１との間に、ユーザの指がアクセス可能な空間が形成される。したがって、ユーザが指を差し込んで、カセット４２１を引き出すことができる。このときに、可動上ガイド４５７の反時計回り方向に（搬送路から離間する方向）に回動すると、軸４９９が『規制手段』としての突き当て部４６０に突き当たる。こうして、可動下ガイド２５８が着脱方向Ｌの奥に押圧された状態では、シートＳの搬送路に侵入しつつ間隙を広げる第２位置Ｊ２を取る。こうして、可動下ガイド２５８が、押圧されることで搬送路に侵入する。
【００４７】
ユーザが指を可動上ガイド４５７の裏面のガイド面４５７ａから退避する（図１４参照）。そうすると、可動下ガイド４５８はバネ５６の付勢力によって時計回りに（搬送路から離間する方向に）回動し、軸４９６が『規制手段』としての突き当て部４９２に突き当たると止まる。連結部材４９０は、軸４９１を中心に反時計回りに回動する。可動上ガイド４５７はバネ４５９の付勢力によって時計回りに回動して止まる。こうして可動上ガイド４５７と可動下ガイド４５８は、再び、給送されるシートＳの搬送路を形成する。なお、突き当て部４６０と突き当て部４９２は、カセットに取付けられている。
【００４８】
図１６は、ユーザがガイド面４５７ａに指を引っかける前のカセット４２１の一部拡大断面図である。図１７は、ユーザがガイド面４５７ａに指を引っかけた後のカセット４２１の一部拡大断面図である。図１７に示されるように、ユーザが可動下ガイド４５８を奥へと向かって押し込むと、可動下ガイド４５８に連結されたレバー４６４が軸４６１を中心に時計回りに回動して第４位置Ｋ２に移動し、遮光部４６３がフォトインタラプタ７０の光路から退避する。
【００４９】
反対に、図１６に示されるように、ユーザが可動下ガイド４５８から指を外すと、可動下ガイド４５８に連結されたレバー４６４が軸４６１を中心に反時計回りに回動して第３位置Ｋ１に移動し、遮光部４６３がフォトインタラプタ７０の光路に進入する。
【００５０】
図１８（ａ）は、カセット４２１が装置本体１００Ａに装着された状態を示す断面図である。図１８（ｂ）は、カセット４２１が装置本体１００Ａから引出された状態を示す断面図である。図１８（ａ）の状態から図１８（ｂ）の状態へとカセット４２１が移動すると、可動上ガイド４５７に連結されたレバー４６４が手前へと引出され、遮光部４６３がフォトインタラプタ７０から退避する。
【００５１】
コントローラ５０は、このフォトインタラプタ７０の検知結果に基づいて、装置本体１００Ａの内部機構の駆動を停止させる。なお、図１８（ｂ）の状態から図１８（ａ）の状態へとカセット４２１が移動すると、遮光部４６３がフォトインタラプタ７０の光路を遮光する。
【００５２】
実施例１〜３の構成によれば、ガイド部が第１位置Ｊ１に位置するときにガイド部がシートの搬送路の一部に用いられ、ガイド部が第２位置Ｊ２に位置するときに搬送路に別の機能（指を入れてカセットを取り出せる機能）が付与される。こうして、シートＳを搬送する搬送路の領域と把手部の領域とが共用されても装置本体１００Ａの大型化を招来しない。
【００５３】
なお、実施例３の構成が実施例２の構成よりも優れている点は、以下の点である。実施例２では、搬送面５１、ガイド面２５７ａ、ガイド面２５８ａによって搬送路が形成される。実施例３では、搬送面５１、ガイド面４５７ａ、ガイド面４５８ａによって搬送路が形成される。いずれの搬送路も、上方の第１ガイド部へと向かうに従って経路が小さくなり、下方の第２ガイド部へと向かうに従って経路が大きくなる。
【００５４】
実施例３の場合には、可動下ガイド４５８が搬送路に侵入する構成であるが、この場合には、可動下ガイド４５８が搬送路に侵入する寸法が大きいということになる。実施例３の構成によれば、ユーザが指を入れ易くなるメリットがある。なお、実施例１でも、搬送路は、上方にいくと経路が狭まり、下方にいくと経路が広がる。
【符号の説明】
【００５５】
２１、１２１  カセット
５２          可動ガイド（ガイド部）
５４          外壁部
５４Ｘ        開口
５６          バネ（付勢手段）
１００Ａ      装置本体
Ｊ１          第１位置
Ｊ２          第２位置
Ｌ            着脱方向
【図１】
2015093740.tif 000003
【図２】
2015093740.tif 000004
【図３】
2015093740.tif 000005
【図４】
2015093740.tif 000006
【図５】
2015093740.tif 000007
【図６】
2015093740.tif 000008
【図７】
2015093740.tif 000009
【図８】
2015093740.tif 000010
【図９】
2015093740.tif 000011
【図１０】
2015093740.tif 000012
【図１１】
2015093740.tif 000013
【図１２】
2015093740.tif 000014
【図１３】
2015093740.tif 000015
【図１４】
2015093740.tif 000016
【図１５】
2015093740.tif 000017
【図１６】
2015093740.tif 000018
【図１７】
2015093740.tif 000019
【図１８】
2015093740.tif 000020